(57)【要約】【課題】簡単に美しく箱詰め包装して、瓶を輸送時の衝撃から保護できる瓶固定用パッドを提供する。【解決手段】底板１の両側に起立する側板２が連設されて瓶収納空間３が形成され、底板１は、胴底部１ａ及び肩底部１ｂを有し、肩底部１ｂが胴底部１ａから離れるに従ってテーパー状に幅が狭くなるものとされ、側板２は、胴側部２ａ及び肩側部２ｂを有するものとされ、谷折りされる側折線５ａ，５ｂと山折りされる肩折線６の延長線が交わる部分に逃穴７が穿設され、胴底部１ａから肩底部１ｂが次第に高くなって瓶の肩部の下方に沿うように傾斜し、胴側部２ａから肩側部２ｂが瓶の肩部の側方に沿うように内側へ斜向し、側板２が重なる仕切１０に形成された逆テーパー状の肩稜部１１が稜折線１２に沿った山折りにより、胴側部２ａから離れるに従って低くなるようにする。【選択図】図４
0003203789.tif 000002
【実用新案登録請求の範囲】
【請求項１】
底板(1)の両側に起立する側板(2)が連設されて瓶収納空間(3)が形成され、前記底板(1)は、胴底部(1a)及び肩底部(1b)を有し、肩底部(1b)が胴底部(1a)から離れるに従ってテーパー状に幅が狭くなるものとされ、前記側板(2)は、胴側部(2a)及び肩側部(2b)を有するものとされ、前記肩底部(1b)と肩側部(2b)の間に押上板(4)が介在し、
前記胴底部(1a)と胴側部(2a)の境界及び押上板(4)と肩側部(2b)の境界は、側折線(5a,5b)に沿って谷折りされ、前記肩底部(1b)と押上板(4)の境界は、肩折線(6)に沿って山折りされ、側折線(5a,5b)と肩折線(6)の延長線が交わる部分に逃穴(7)が穿設されており、
前記底板(1)は、瓶の胴部の下方に沿う胴底部(1a)から肩底部(1b)が次第に高くなって瓶の肩部の下方に沿うように傾斜し、前記側板(2)は、瓶の胴部の側方に沿う胴側部(2a)から肩側部(2b)が瓶の肩部の側方に沿うように内側へ斜向した形状となり、
前記底板(1)の両側に側板(2)が重なって仕切(10)が形成され、この仕切(10)の重なり合う側板(2)の肩側部(2b)の間には、胴側部(2a)から離れるに従って逆テーパー状に幅が広くなる肩稜部(11)が介在し、胴側部(2a)の頂部及び肩稜部(11)と肩側部(2b)の境界は、稜折線(12)に沿って山折りされ、前記肩稜部(11)は、胴側部(2a)から離れるに従って低くなるように傾斜する瓶固定用パッド。
【請求項２】
前記瓶収納空間(3)が複数並列し、隣り合う瓶収納空間(3)の境界及び両端の瓶収納空間(3)の外側に前記仕切(10)が形成され、
前記底板(1)の肩底部(1b)の胴底部(1a)寄り部分の側端には、前記逃穴(7)に臨む側突片(8)が形成され、前記仕切(10)を介して隣り合う瓶収納空間(3)の肩底部(1b)から側方に突出した側突片(8)の先端縁同士が突き合わされる請求項１に記載の瓶固定用パッド。
【請求項３】
段ボールを材料とし、前記仕切(10)の肩稜部(11)は、幅方向の中央部に入れられた峰折線(13)を稜線として山形となる請求項１又は２に記載の瓶固定用パッド。
【請求項４】
板紙を材料とし、前記仕切(10)の肩稜部(11)は、幅方向の中央側が高くなるように湾曲した形状となる請求項１又は２に記載の瓶固定用パッド。
【考案の詳細な説明】
【技術分野】
【０００１】
この考案は、瓶の箱詰め包装において、瓶を箱の内部で固定する厚紙製のパッドに関するものである。
【背景技術】
【０００２】
従来、下記特許文献１には、図１１に示すように、瓶Ｂを収納する瓶収納空間５１が仕切５２を介して複数並列するように形成された瓶固定用パッドが記載されている。このパッドは、身箱４１に内挿されて、身箱４１に蓋４２が被せられる。
【０００３】
このパッドにおいて、瓶Ｂの外周を下方から受け止める底板５３の外側には、折り重ねた側壁５４が起立しており、中間の仕切５２には、瓶Ｂの肩部に沿う肩側部５５が形成されると共に、頂部に瓶Ｂの胴部側から首部側へかけて逆テーパー状に幅が広くなる肩稜部５６が形成されている。また、底板５３からの延長部分を巻き込むようにして、瓶Ｂの首部を載せる首載台５７が形成されている。
【０００４】
また、下記特許文献２には、図１２に示すように、瓶Ｂの外周を下方から受け止める底板６１の両側に、折り重ねて起立させた側壁６２が連設され、これにより瓶Ｂを収納する瓶収納空間６３が形成された瓶固定用パッドが記載されている。
【０００５】
このパッドにおいて、底板６１は、瓶Ｂの胴部及び肩部にそれぞれに沿う胴底部６１ａ及び肩底部６１ｂを有し、肩底部６１ｂが胴底部６１ａから離れるに従いテーパー状に幅が狭くなるものとされ、肩底部６１ｂと側壁６２の間に押上板６４が介在し、押上板６４の内側から瓶Ｂの首部に沿う首受片６５が延出され、肩底部６１ｂの首受片６５に臨む部分に瓶Ｂの首部を嵌める打抜穴６６が形成されている。
【０００６】
胴底部６１ａと側壁６２の境界及び押上板６４と側壁６２の境界には、それぞれ谷折りされる側折線６７ａ，６７ｂが入れられ、肩底部６１ｂと押上板６４の境界には、山折りされる肩折線６８が入れられている。また、胴底部６１ａと肩底部６１ｂの境界には、谷折りされる中折線６１ｃが入れられている。
【０００７】
上記パッドでは、組み立てに際し、身箱４１に内挿するため、側折線６７ａ，６７ｂ及び肩折線６８に沿って折り曲げると、肩底部６１ｂが押上板６４に押し上げられて胴底部６１ａ側から次第に高くなるように中折線６１ｃを軸として傾斜するので、瓶収納空間６３に収納された瓶Ｂの肩部が浮き上がることなく肩底部６１ｂで支持され、輸送時の衝撃が瓶Ｂの胴部に集中することがなく、瓶Ｂの破損が防止される。
【先行技術文献】
【特許文献】
【０００８】
【特許文献１】実公平７−２８０９７号公報
【特許文献２】実用新案登録第２５８６３５１号公報
【考案の概要】
【考案が解決しようとする課題】
【０００９】
しかしながら、上記特許文献１に記載されたパッドでは、首載台５７の組立等に手間がかかるほか、瓶Ｂの肩部と側壁５４の間に平面視三角状の大きな隙間があくと共に、肩側部５５の下端が底板５３から切り離されているため、瓶Ｂの肩部の固定力が低く、また、肩稜部５６が平板状となることもあり、見映えが芳しくないという問題がある。
【００１０】
また、上記特許文献２に記載されたパッドでは、ブランク状態において、胴底部６１ａと側壁６２の境界の側折線６７ａに対し、押上板６４と側壁６２の境界の側折線６７ｂが外側へ斜めに延びているため、使用状態において、瓶Ｂの両方の肩部と側壁６２の間にそれぞれ平面視三角状の大きな隙間があき、やはり瓶Ｂの肩部の固定力が低く、見映えが芳しくないという問題がある。
【００１１】
そこで、この考案は、簡単に美しく箱詰め包装して、瓶を輸送時の衝撃から保護できる瓶固定用パッドを提供することを課題とする。
【課題を解決するための手段】
【００１２】
上記課題を解決するため、この考案に係る瓶固定用パッドは、底板の両側に起立する側板が連設されて瓶収納空間が形成され、前記底板は、胴底部及び肩底部を有し、肩底部が胴底部から離れるに従ってテーパー状に幅が狭くなるものとされ、前記側板は、胴側部及び肩側部を有するものとされ、前記肩底部と肩側部の間に押上板が介在し、前記胴底部と胴側部の境界及び押上板と肩側部の境界は、側折線に沿って谷折りされ、前記肩底部と押上板の境界は、肩折線に沿って山折りされ、側折線と肩折線の延長線が交わる部分に逃穴が穿設されており、前記底板は、瓶の胴部の下方に沿う胴底部から肩底部が次第に高くなって瓶の肩部の下方に沿うように傾斜し、前記側板は、瓶の胴部の側方に沿う胴側部から肩側部が瓶の肩部の側方に沿うように内側へ斜向した形状となり、前記底板の両側に側板が重なって仕切が形成され、この仕切の重なり合う側板の肩側部の間には、胴側部から離れるに従って逆テーパー状に幅が広くなる肩稜部が介在し、胴側部の頂部及び肩稜部と肩側部の境界は、稜折線に沿って山折りされ、前記肩稜部は、胴側部から離れるに従って低くなるように傾斜するものとしたのである。
【００１３】
また、前記瓶収納空間が複数並列し、隣り合う瓶収納空間の境界及び両端の瓶収納空間の外側に仕切が形成され、前記底板の肩底部の胴底部寄り部分の側端には、前記逃穴に臨む側突片が形成され、前記仕切を介して隣り合う瓶収納空間の肩底部から側方に突出した側突片の先端縁同士が突き合わされるものとしたのである。
【００１４】
そして、段ボールを材料とする場合、前記仕切の肩稜部は、幅方向の中央部に入れられた峰折線を稜線として山形となるものとしたのである。
【００１５】
また、板紙を材料とする場合、前記仕切の肩稜部は、幅方向の中央側が高くなるように湾曲した形状となるものとしたのである。
【考案の効果】
【００１６】
この考案に係る瓶固定用パッドでは、側折線、肩折線及び稜折線に沿って折り曲げるだけで、ブランクから立体へ組み立てて瓶を包装することができ、その際、側折線と肩折線の延長線が交わる部分に穿設された逃穴により、折曲抵抗が軽減されるので、組立作業を容易に行うことができる。また、このとき、逃穴に臨む側突片の先端縁同士が突き合わされるようにすると、側突片がストッパーとなって肩側部の起立角度が規制されるので、容易かつ確実に所定形状に組み立てることができる。
【００１７】
そして、箱詰めした使用状態において、底板の胴底部で瓶の胴部が下方から支持され、胴底部から上方へ傾斜した肩底部により瓶の肩部が下方から支持されると共に、底板の両側に起立する側板の胴側部により瓶の胴部が両側方から抱持され、胴側部から内側へ斜向して肩底部に連なった肩側部により瓶の肩部が両側方から抱持されるので、瓶の肩部の両側方と側板の間に隙間があくことがなく、瓶は箱内でがたつかないようにしっかりと保持されて、衝撃から保護され、美観にも優れた包装となる。
【００１８】
また、瓶収納空間の両側に形成された仕切において、逆テーパー状となった肩稜部が胴側部から離れるに従って低くなるように傾斜すると共に、幅方向に傾斜又は湾曲した形状となるので、立体感が強調されて、収納された瓶が美しく映え、ギブト包装に相応しい高級感のある美観を呈するものとすることができる。
【図面の簡単な説明】
【００１９】
【図１】この考案の第１実施形態に係る瓶固定用パッドのブランクを示す図
【図２】同上の組立過程を示す斜視図
【図３】同上の組立状態を示す斜視図
【図４】同上の箱詰めした使用状態を示す斜視図
【図５】同上の箱詰めした使用状態を示す平面図
【図６】この考案の第２実施形態に係る瓶固定用パッドのブランクを示す図
【図７】同上の組立過程を示す斜視図
【図８】同上の組立状態を示す斜視図
【図９】同上の箱詰めした使用状態を示す斜視図
【図１０】同上の箱詰めした使用状態を示す平面図
【図１１】特許文献１に記載の瓶固定用パッドの箱詰め過程を示す斜視図
【図１２】特許文献２に記載の瓶固定用パッドの箱詰め過程を示す斜視図
【考案を実施するための形態】
【００２０】
まず、この考案の第１実施形態を図１〜図５に基づいて説明する。この瓶固定用パッドは、図１に示す横方向に長い１枚の段ボール製ブランクから組み立てられ、図４及び図５に示すように、３本の瓶Ｂの包装に使用されるものである。
【００２１】
図１に示すように、このパッドのブランクでは、段ボールの段目が横方向へ向けられ、底板１の両側に側板２が連設されて、組立時に瓶収納空間３を形成する部分が横方向に３組並んで連なっている。隣り合う瓶収納空間３の境界部分及び両端の瓶収納空間３の外側部分は、側板２が重なって仕切１０を形成する部分とされている。
【００２２】
底板１は、胴底部１ａ及び肩底部１ｂを有し、肩底部１ｂが胴底部１ａから離れるに従ってテーパー状に幅が狭くなるものとされ、側板２は、胴側部２ａ及び肩側部２ｂを有するものとされ、肩底部１ｂと肩側部２ｂの間には、押上板４が介在している。
【００２３】
胴底部１ａと胴側部２ａの境界及び押上板４と肩側部２ｂの境界には、それぞれ谷折りされる側折線５ａ，５ｂが一直線上に入れられ、肩底部１ｂと押上板４の境界には、山折りされる肩折線６が入れられている。側折線５ａ，５ｂは、押罫と切目が交互に断続するリード罫とされ、肩折線６は、通常の押罫とされている。
【００２４】
側折線５ａ，５ｂと肩折線６の延長線が交わる部分とその近傍には、逃穴７が穿設されている。逃穴７は、側折線５ｂに沿って肩側部２ｂがスリット状に開口し、その開口幅が組立状態における肩底部１ｂの傾斜に対応して拡大するように、端縁に斜辺が形成されたものとされている。
【００２５】
肩底部１ｂの胴底部１ａ寄りの部分の両側端には、肩側部２ｂとの境界から肩折線６までの切込により、逃穴７に臨むように側突片８が形成され、側突片８の部分には、肩折線６が入れられていない。
【００２６】
胴底部１ａと肩底部１ｂの境界及び胴側部２ａと肩側部２ｂの境界の位置には、ブランクの横方向の全長にわたって、押罫の中折線９が入れられている。
【００２７】
仕切１０となる部分において、隣り合う肩側部２ｂの間には、胴側部２ａ側から離れるに従って逆テーパー状に幅が広くなる肩稜部１１が介在し、胴側部２ａの頂部及び肩稜部１１と肩側部２ｂの境界には、山折りされる押罫の稜折線１２が入れられ、胴側部２ａの頂部を形成する稜折線１２は、段ボールの厚さを考慮して、２本並行するものとされている。隣り合う瓶収納空間３の境界となる仕切１０の肩稜部１１には、幅方向の中央に山折りされる押罫の峰折線１３が入れられている。
【００２８】
また、このブランクには、瓶収納空間３への瓶Ｂの収納時に、瓶Ｂの首部が係合する弧状の首嵌縁１４が肩底部１ｂに形成され、外周の長さ方向の端縁に、後述する身箱２１への内挿に際して、身箱２１の内側底部に係合する突起が形成されている。
【００２９】
上記ブランクを組み立てるには、図２に示すように、側折線５ａ，５ｂ、肩折線６及び稜折線１２に沿って折り曲げる。これに伴い、図３に示すように、底板１から側板２が起立し、瓶収納空間３が仕切１０で区画され、底板１は、胴底部１ａから肩底部１ｂが押上板４に押し上げられて中折線９を軸に次第に高くなるように傾斜し、側板２は、胴側部２ａから肩側部２ｂが中折線９を軸に内側へ斜向した形状となる。
【００３０】
また、仕切１０の肩稜部１１が胴側部２ａから離れるに従って低くなるように傾斜すると共に、隣り合う瓶収納空間３の境界となる仕切１０の肩稜部１１は、峰折線１３に沿って山形に折れ曲がり、両端の瓶収納空間３の外側に位置する仕切１０の肩稜部１１は、内側へ向かって低くなるように幅方向に傾斜した形状となる。
【００３１】
このように組み立てたパッドを、図４及び図５に示すように、身箱２１に内挿し、瓶収納空間３に瓶Ｂを収納すると、瓶Ｂの外周が下方から底板１で受け止められ、瓶Ｂの胴部下方に胴底部１ａが沿い、瓶Ｂの肩部下方に肩底部１ｂが沿うと共に、瓶Ｂの胴部両側方に胴側部２ａが沿い、瓶Ｂの肩部両側方に肩側部２ｂが沿って、瓶Ｂの首部が首嵌縁１４に係合した状態となる。
【００３２】
上記のような瓶固定用パッドでは、側折線５ａ，５ｂ、肩折線６及び稜折線１２に沿って折り曲げるだけで、ブランクから立体へ組み立てて身箱２１に内挿し、瓶Ｂを包装することができ、その際、側折線５ａ，５ｂと肩折線６の延長線が交わる部分に穿設された逃穴７により、折曲抵抗が軽減されるので、組立作業を容易に行うことができる。
【００３３】
また、このとき、逃穴７に臨む側突片８の先端縁同士が突き合わされ、側突片８がストッパーとなって肩側部２ｂの起立角度が規制されるので、容易かつ確実に所定形状に組み立てることができる。
【００３４】
そして、箱詰めした使用状態において、底板１の胴底部１ａで瓶Ｂの胴部が下方から支持され、胴底部１ａから上方へ傾斜した肩底部１ｂにより瓶Ｂの肩部が下方から支持されると共に、底板１の両側に起立する側板２の胴側部２ａにより瓶Ｂの胴部が両側方から抱持され、胴側部２ａから内側へ斜向して肩底部１ｂに連なった肩側部２ｂにより瓶Ｂの肩部が両側方から抱持されるので、瓶Ｂの肩部の両側方と側板２の間に隙間があくことがなく、瓶Ｂは身箱２１の内部でがたつかないようにしっかりと保持されて、衝撃から保護され、美観にも優れた包装となる。
【００３５】
また、瓶収納空間３の両側に形成された仕切１０において、逆テーパー状となった肩稜部１１が瓶Ｂの胴部側から首部側へかけて低くなるように傾斜し、隣り合う瓶収納空間３の境界となる仕切１０の肩稜部１１は、峰折線１３を稜線とした山形となり、両端の瓶収納空間３の外側に位置する仕切１０の肩稜部１１は、内側へ向かって低くなるように幅方向に傾斜するので、屏風状に立体感が強調されて、収納された瓶Ｂが美しく映え、ギブト包装に相応しい高級感のある美観を呈するものとすることができる。
【００３６】
次に、この考案の第２実施形態を図６〜図１０に基づいて説明する。この瓶固定用パッドは、図６に示す横方向に長い１枚の板紙製ブランクから組み立てられ、図９及び図１０に示すように、３本の瓶Ｂの包装に使用されるものである。なお、ここでは、上記第１実施形態との相違点に言及するに留める。
【００３７】
このパッドにおいては、材料の厚さをほとんど考慮する必要がないので、隣り合う胴側部２ａの頂部を形成する稜折線１２は、単なる１本の押罫とされている。また、段目に影響されることなく仕切１０の肩稜部１１を湾曲させることができるので、いずれの肩稜部１１にも峰折線１３が入れられていない。
【００３８】
このようなパッドを使用時にブランクから組み立てる際、図７及び図８に示すように、側折線５ａ，５ｂ、肩折線６及び稜折線１２に沿って折り曲げると、瓶収納空間３の両側に形成された仕切１０において、逆テーパー状となった肩稜部１１が胴側部２ａから離れるに従って低くなるように傾斜すると共に、幅方向の中央側が高くなるように湾曲した形状となるので、曲面で柔らかい印象を与えるように立体感が強調されて、収納された瓶Ｂが美しく映え、ギブト包装に相応しい高級感のある美観を得ることができる。
【００３９】
なお、上記各実施形態では、ブランクの横方向の全長にわたって中折線９が入れられたものを例示したが、中折線９を省略しても、材料が薄手であれば、上記と同様に組み立てることができる。
【００４０】
また、上記各実施形態では、３本の瓶Ｂを収納する包装用のパッドを例示したが、１本又は４本以上の瓶Ｂを収納する包装用のパッドにおいても、瓶Ｂの収納本数に応じた瓶収納空間３を形成し、上記と同様の構成とすることができる。
【符号の説明】
【００４１】
Ｂ  瓶
１  底板
１ａ  胴底部
１ｂ  肩底部
２  側板
２ａ  胴側部
２ｂ  肩側部
３  瓶収納空間
４  押上板
５ａ，５ｂ  側折線
６  肩折線
７  逃穴
８  側突片
９  中折線
１０  仕切
１１  肩稜部
１２  稜折線
１３  峰折線
１４  首嵌縁
２１  身箱
【図１】
0003203789.tif 000003
【図２】
0003203789.tif 000004
【図３】
0003203789.tif 000005
【図４】
0003203789.tif 000006
【図５】
0003203789.tif 000007
【図６】
0003203789.tif 000008
【図７】
0003203789.tif 000009
【図８】
0003203789.tif 000010
【図９】
0003203789.tif 000011
【図１０】
0003203789.tif 000012
【図１１】
0003203789.tif 000013
【図１２】
0003203789.tif 000014